(57)【要約】      （修正有）【課題】梱包形態から陳列ケース形態へ簡便に変形させることができ、かつ商品の高い陳列効果及び取り出し性能を有する段ボール箱を提供する。【解決手段】対向する前壁２及び後壁３並びに対向する左右一対の側壁４を有する四角筒状部と、上記前壁及び後壁の各上端縁から延出する一対の上側外フラップ５ａ，５ｂと、上記各側壁の各上端縁から延出する一対の上側内フラップ６とを備えて段ボール箱１を形成する。さらに、上記前壁２が、前記前壁における上端縁の少なくとも一部を含む領域と前壁２の上端縁から延出する上側外フラップ５ａ，５ｂとからなる部分を切離可能域１２とする破断誘導線１０を有する。【選択図】図１
0003170785.tif 000002
【実用新案登録請求の範囲】
【請求項１】
対向する前壁及び後壁並びに対向する左右一対の側壁を有する四角筒状部と、
上記前壁及び後壁の各上端縁から延出する一対の上側外フラップと、
上記各側壁の各上端縁から延出する一対の上側内フラップと
を備える段ボール箱であって、
上記前壁が、この前壁における上端縁の少なくとも一部を含む領域と前壁の上端縁から延出する上側外フラップとからなる部分を切離可能域とする破断誘導線を有することを特徴とする段ボール箱。
【請求項２】
上記破断誘導線が、前壁の上端縁の両端を端とした弧状である請求項１に記載の段ボール箱。
【請求項３】
上記破断誘導線が、中央部に前壁の上端側に凸となる湾曲部を有し、
上記前壁が、破断誘導線の中点を端点とし、前壁の側縁と平行でかつ下方に形成される切込線を有する請求項１又は請求項２に記載の段ボール箱。
【請求項４】
上記前壁が、上記切込線の下端を中点とし、この切込線と垂直に形成される補助切込線をさらに有する請求項３に記載の段ボール箱。
【請求項５】
上記一対の上側内フラップの前壁側の側縁が、後壁側への傾斜部を有している請求項１から請求項４までのいずれか１項に記載の段ボール箱。
【考案の詳細な説明】
【技術分野】
【０００１】
本考案は、段ボール箱に関するものである。
【背景技術】
【０００２】
商品輸送用の段ボール箱は、商品の輸送から陳列までの間、複数の商品をまとめて収容する容器等として用いられる。段ボール箱は、あらかじめ下側のフラップを折り込んで底部を形成した状態で、箱内部に商品等を収納した後、一対の上側内フラップと一対の上側外フラップとを順次折り込み、外フラップ同士の突き合わせ部分から左右の側壁にかけて粘着テープ等を貼着することによって封緘するのが一般的である。
【０００３】
このような段ボール箱は商品の輸送後に開封され、梱包されていた商品がこの段ボール箱から取り出される。取り出された商品は陳列用の棚やケースに陳列され、販売に供される。この段ボール箱からの商品の取り出し及び棚やケースへの陳列からなる商品陳列作業を簡便にするために、商品を梱包した段ボール箱をそのまま陳列用のケースとして用いることができる段ボール箱が発案されている（特開平１０−１２９６５４号公報参照）。この段ボール箱は、前壁、側壁等の一部を折りたたんだりすることによって、商品が梱包された梱包形態から商品が陳列された陳列ケース形態へ変形するものである。
【０００４】
しかしながら、この段ボール箱においては、梱包形態から陳列ケース形態へと変形させる際に、前壁、左右一対の側壁、後壁、これらから延伸されたフラップ等をそれぞれ折りたたむ必要がある。そのため、梱包形態から陳列ケース形態へ変形させる際の手間が大きく、段ボール箱の周囲に作業スペースが必要となる。また、この段ボール箱を形成する段ボールシートの形状も複雑となる。
【先行技術文献】
【特許文献】
【０００５】
【特許文献１】特開平１０−１２９６５４号公報
【考案の概要】
【考案が解決しようとする課題】
【０００６】
本考案はこれらの不都合に鑑みてなされたものであり、梱包形態から陳列ケース形態へ簡便に変形させることができ、かつ商品の高い陳列効果及び取り出し性能を有する段ボール箱の提供を目的とする。
【課題を解決するための手段】
【０００７】
上記課題を解決するためになされた考案は、
対向する前壁及び後壁並びに対向する左右一対の側壁を有する四角筒状部と、
上記前壁及び後壁の各上端縁から延出する一対の上側外フラップと、
上記各側壁の各上端縁から延出する一対の上側内フラップと
を備える段ボール箱であって、
上記前壁が、この前壁における上端縁の少なくとも一部を含む領域と前壁の上端縁から延出する上側外フラップとからなる部分を切離可能域とする破断誘導線を有することを特徴とする。
【０００８】
当該段ボール箱は、前壁が、この前壁における上端縁の少なくとも一部を含む領域と前壁の上端縁から延出する上側外フラップとからなる部分を切離可能域とする破断誘導線を有するため、この破断誘導線に沿って上記切離可能域を分離することができる。そのため、当該段ボール箱によれば、上記切離可能域の分離等の簡便な作業の組合せで梱包形態から陳列ケース形態へ変形させることができ、またこの変形作業に必要なスペースも小さくすることができる。
【０００９】
また、当該段ボール箱は、分離され展開された切離可能域に販売促進のための商品説明等を掲示することによって、この切離可能域をディスプレイ面として利用でき、商品の陳列効果を向上させることができる。
【００１０】
さらに、当該段ボール箱は、上記破断誘導線を有する点以外は通常使用される段ボール箱と同様の構造を有する。そのため、当該段ボール箱を形成する段ボールシートの加工が容易であり、製造コストに優れる。また、梱包形態から陳列ケース形態に変形時に箱本体から分離廃棄される部分が無く、廃棄物を生じさせない。
【００１１】
上記破断誘導線が、前壁の上端縁の両端を端とした弧状であるとよい。このように破断誘導線が、前壁の上端縁の両端を端とした弧状であることによって、切離可能域を前壁から容易に分離することができる。また、切離可能域の分離後の当該段ボール箱に格納された商品の陳列効果及び取り出し性能を向上させることができる。
【００１２】
上記破断誘導線が、中央部に前壁の上端側に凸となる湾曲部を有し、上記前壁が、破断誘導線の中点を端点とし、前壁の側縁と平行でかつ下方に形成される切込線を有するとよい。このように破断誘導線が、中央部に前壁の上端側に凸となる湾曲部を有し、前壁が、破断誘導線の中央部を端点とし、前壁の側縁と平行でかつ下方に形成される切込線を有することによって、この切込線を指で押し込むことで切離可能域を指で掴むための孔部分を作ることができ、破断誘導線を容易に破断させることができる。結果として、上記前壁から切離可能域を容易に分離させることができる。
【００１３】
上記前壁が、上記切込線の下端を中点とし、この切込線と垂直に形成される補助切込線をさらに有するとよい。このように前壁が、上記切込線の下端を中点とし、この切込線と垂直に形成される補助切込線をさらに有することによって、上記切込線を指で押し込む際に、この押し込み力によって、前壁が上記切込線の下端から破断することを防止することができる。
【００１４】
上記上側内フラップの前壁側の側縁が、後壁側への傾斜部を有しているとよい。このように上側内フラップの前壁側の側縁が、後壁側への傾斜部を有していることによって、当該段ボール箱で陳列される商品の視認性を高めて陳列効果を向上させることができる。また、当該段ボール箱の商品取り出し性能も向上させることができる。
【００１５】
なお、本考案において、「破断誘導線」とは、所定の形状に沿って破断されるように切れ目が設けられた線をいい、例えば、ミシン目状の線（切断されている部分とされていない部分が交互に繰り返される線）や、層状構造段ボールシートにおいてライナや中芯などの一部の層のみを切断した線等を挙げることができる。また、「切込線」とは、段ボールシートの表面から裏面まで貫通した線をいい、層状構造段ボールシートにおいては全ての層を切断した線である。
【考案の効果】
【００１６】
以上説明したように、本考案の段ボール箱は、梱包形態から陳列ケース形態へ簡便に変形させることができ、かつ商品の高い陳列効果及び取り出し性能を有する。
【図面の簡単な説明】
【００１７】
【図１】本考案の一実施形態に係る段ボール箱を示す展開図である。
【図２】図１の段ボール箱の梱包形態を示す斜視図である。
【図３】図１の段ボール箱の陳列ケース形態を示す斜視図である。
【図４】図１の段ボール箱の押込部分を示す平面図である。
【図５】図１の段ボール箱の変形手順を示す第一の参考図である。
【図６】図１の段ボール箱の変形手順を示す第二の参考図である。
【図７】図１の段ボール箱の変形手順を示す第三の参考図である。
【考案を実施するための形態】
【００１８】
以下、適宜図面を参照しつつ、本考案の実施形態を詳説する。
【００１９】
図１及び図２の段ボール箱１は、対向する前壁２及び後壁３並びに対向する左右一対の側壁４を有する四角筒状部と、上記前壁２及び後壁３の各上端縁から延出する一対の上側外フラップ５ａ及び５ｂと、上記左右一対の側壁４の各上端縁から延出する一対の上側内フラップ６と、前壁２及び後壁３の各下端縁から延出する一対の下側外フラップ７と、左右一対の側壁４の各下端縁から延出する一対の下側内フラップ８とを備えている。
【００２０】
この段ボール箱１は、封緘状態で直方体形状に形成され、均一な厚さの一枚の段ボールシートを用いて形成される。当該段ボール箱１のサイズとしては特に限定されず、内容物である商品の大きさ等を考慮して適宜設定される。なお、図１の段ボール箱１の展開図中の細線は折り目を示しており、これらの折り目には折り曲げを容易にする罫線加工が施されていることが好ましい。
【００２１】
前壁２及び後壁３は、同型及び同サイズの矩形形状を有している。一対の側壁４も同型及び同サイズの矩形形状を有している。また、前壁２、後壁３及び一対の側壁４は等しい高さに形成されており、これらによって、直方体形状を有する四角筒状部が形成される。
【００２２】
上記前壁２は、一対の側縁のうち側壁４と接していない側の側縁に糊代部９を備えている。当該段ボール箱１は、この糊代部９を有することで、四角筒状部を形成する際に、当該糊代部９をもう一方の側壁４の側縁と前壁２の側縁が接するように側壁４の内面に接着させることにより、四角筒状部を筒状に固定することができる。
【００２３】
当該段ボール箱１は、四角筒状部を形成した後、下側内フラップ８を四角筒状部の内側に直角に折り込み、続けて下側外フラップ７を四角筒状部の内側に直角に折り込むことで底部を完成させることができる。この際、下側外フラップ７の先端縁同士が突き合わされ、この突き合わせ部分から両側壁４の下部にかけて粘着テープＴを貼着させることにより段ボール箱１の底部が固定される。
【００２４】
段ボール箱１を形成する段ボールシートとしては、強度の高さ及び加工成形の容易さの観点から、波形に形成された中芯、この中芯の表面側に積層される表ライナ及び裏面側に積層される裏ライナを備える両面段ボールが用いられている。
【００２５】
当該段ボール箱１は、前壁２が破断誘導線１０を有しており、この破断誘導線１０と前壁２の上端縁とで囲まれた上部２ａ及び前壁２の上端縁から延出する上側外フラップ５ａからなる切離可能域１２を有している。この破断誘導線１０は、前壁２上に、前壁２の上端縁の両端を端とし、前壁２の下端側に凸となる弧状に形成されている。
【００２６】
当該段ボール箱１によれば、上述のように、破断誘導線１０が前壁２の上端縁の両端を端とし、前壁２の下端側に凸となる弧状であるため、切離可能域１２が分離された陳列ケース形態において、残された前壁２の上端縁が下端側に凸となる弧状となるため、段ボール箱１の内部に格納されている商品の視認性が向上する。また、格納されている商品を取り出す時に商品を掴みやすくできるため、段ボール箱１の商品取り出し性能を向上させることができる。
【００２７】
上記破断誘導線１０の形状としては、前壁２の中心点を通り側縁と平行な直線に対して略対称となる弧状が好ましい。さらに、格納されている商品が板状であり、当該段ボール箱１の底部から重ねて格納されている場合には、破断誘導線１０の中点は前壁２の中心点よりも下側にあることが好ましい。破断誘導線１０をこのような形状とすることで、段ボール箱１内の商品の数が減少した場合にも、商品を前壁２側から掴んで取り出すことができ、段ボール箱１の商品の取り出し性能を向上させることができる。また、格納されている商品が筒状や直方体形状であり、起立した状態で格納されている場合には、この破断誘導線１０の中点は前壁２の中心点と略一致することが好ましい。破断誘導線１０をこのような形状とすることで、商品の視認部を大きくしつつ、商品が転倒することを防止することができ、陳列効果を向上させることができる。
【００２８】
また、当該段ボール箱１は、前壁２に、破断誘導線１０の中点を端点とし、前壁の側縁と平行でかつ下方に形成される切込線Ｌ１と、この切込線Ｌ１の下端を中点とし、この切込線Ｌ１と垂直に形成される補助切込線Ｌ２とからなる押込部分１１を有している（図４参照）。
【００２９】
さらに、当該段ボール箱１は、上記破断誘導線１０が中央部に前壁２の上端側に凸となる湾曲部１０ａを有している。この湾曲部１０ａは、具体的には円弧の一部であり、上記押込部分１１を指で押す際に指先がフィットする形状を有する。
【００３０】
当該段ボール箱１によれば、上述のように、破断誘導線１０の中点を端点とし、前壁の側縁と平行でかつ下方に形成される切込線Ｌ１と、この切込線Ｌ１の下端を中点とし、この切込線Ｌ１と垂直に形成される補助切込線Ｌ２とからなる押込部分１１を有しているため、破断誘導線１０の破断を容易に行うことができる。すなわち、上記押込部分１２を指で押し込むと、この押込部分１１を構成する切込線Ｌ１によって、大きな力を要せずに押込部分１１が段ボール箱１の内側に押し込まれ、押込部分１１が内側に押し込まれてできた孔部分から切離可能域１２を掴むことができる。そして、破断誘導線１０が前壁２の下端側に凸となる弧状を有するため、破断誘導線１０の中央付近にできた上記孔部分によって切離可能域１２を指で掴み、当該段ボール箱１の底部と水平になるように上方に持ち上げることによって、破断誘導線１０が容易に破断することができ、切離可能域１２を前壁２から分離することができる。
【００３１】
また、上述の切離可能域１２の分離の際には、上述のように、上記破断誘導線１０が中央部に前壁２の上端側に凸となる湾曲部１０ａを有するため、押込部分１１を指で押しやすくすることができ、指先を切るなどの怪我を防止することができる。また、押込部分１１の押し込み後に切離可能域１２を指で掴みやすくすることができ、切離可能域１２を容易に分離することができる。
【００３２】
さらに、補助切込線Ｌ２によって、押込部分１１を指で押した時に、この押し込み力によって切込線Ｌ１の下端から前壁２が破断することを防止することができる。結果として、前壁２の破断による当該段ボール箱１の陳列効果の低下を防止することができる。
【００３３】
また、当該段ボール箱１によれば、切離可能域１２を段ボール箱１の内側に押し込むことなく分離することができるため、段ボール箱１の容積全体に商品が充填されている状態でも切離可能域１２を分離でき、かつ商品の傷付きも防止することができる。
【００３４】
上記押込部分１１を構成する切込線Ｌ１の長さとしては、１ｃｍ以上３ｃｍ以下が好ましい。切込線Ｌ１の長さが上記範囲よりも小さいと、押込部１１を指で押し込みにくくなるおそれがあり、また押し込み後に切離可能域１２を掴みにくくなるおそれがある。逆に、切込線Ｌ１の長さが上記範囲よりも大きいと、陳列ケース状態における当該段ボール箱１の意匠的効果が低下し、商品の陳列効果を低下させるおそれがある。
【００３５】
同じく上記押込部分１１を構成する補助切込線Ｌ２の長さとしては、３ｍｍ以上１ｃｍ以下が好ましい。補助切込線Ｌ２の長さが上記範囲よりも小さいと、切込線Ｌ１の下端から前壁２が破断することを防止することができないおそれがある。逆に、補助切込線Ｌ２の長さが上記範囲よりも大きいと、陳列ケース状態における当該段ボール箱１の意匠的効果が低下し、商品の陳列効果を低下させるおそれがあり、また前壁２の強度が低下するおそれがある。
【００３６】
さらに、当該段ボール箱１は、左右一対の側壁４の各上端縁から延出した一対の上側内フラップ６が、前壁側の側縁に後壁側への傾斜部１３をそれぞれ有している。
【００３７】
当該段ボール箱１によれば、上述のように、左右一対の側壁４の各上端縁から延出した一対の上側内フラップ６が、前壁側の側縁に後壁側への傾斜部１３をそれぞれ有しているため、陳列ケース形態においてこの上側内フラップ６が段ボール箱１の底部に対して起立された状態において、格納されている商品を視認することができる当該段ボール箱１の周囲範囲を大きくすることができる。また、側壁方向へ商品を取り出す場合に、商品が取り出しやすくなり、商品が上側内フラップ６に接触した際の商品の傷付きを防止することができる。
【００３８】
上記傾斜部１３の形状としては、例えば、上記上側内フラップ６の前壁２側の側縁上で、側壁４の上端縁から約２分の１の位置の点と、上端縁上で、前壁２側の側縁から約３分の１の位置の点とを結ぶ形状とすることができる。この上側内フラップ６の前壁２側の側縁及び上端縁と、傾斜部１３との接続部はそれぞれ滑らかな曲線とすることが好ましい。傾斜部１３をこのような形状とすることで、上述のように、当該段ボール箱１の商品の陳列効果を向上させつつ商品の取り出し性能を向上させることができるとともに、陳列ケース状態で段ボール箱１の内側に折り返された切離可能域１２が開かないようにこの上側内フラップ６で押さえることができる。
【００３９】
次に、当該段ボール箱１の使用方法について説明する。
【００４０】
当該段ボール箱１は、通常の段ボール箱と同様に、あらかじめ底部を形成した状態で商品を格納後、上側外フラップ５ａ及び５ｂと左右一対の側壁４の各上端縁から延出した一対の上側内フラップ６とを順次折り込み、この上側外フラップ５ａ及び５ｂの突き合わせ部分から左右一対の側壁４にかけて粘着テープＴを貼着することによって封緘される。当該段ボール箱１は、前壁２に上記破断誘導線１０及び押込部分１１を有することによって、この梱包形態から陳列ケース形態へ、以下の手順で変形させることができる。
【００４１】
まず、上側外フラップ５ａ及び５ｂの突き合わせ部分を貼着している粘着テープＴの左右一対の側壁４にかかる部分をカッター等を用いて上端縁に沿って切断する。次に、図５に示すように、押込部分１１を指で押し、押込部分１１を段ボール箱１の内部方向に押し込む。その後、押込部分１１が内側に押し込まれてできた孔部分を指で掴み、切離可能域１２を当該段ボール箱１の底部と水平になるように上方に持ち上げることによって破断誘導線１０を破断し、切離可能域１２を前壁２から分離する。そして、図６に示すように、切離可能域１２及び後壁３から延出した上側外フラップ５ｂからなる上蓋部１４を段ボール箱１の底部に対して上方に起立させる。続けて、左右一対の側壁４の各上端縁から延出した一対の上側内フラップ６を段ボール箱１の外側にそれぞれ開く。その後、図７に示すように、上蓋部１４の粘着テープＴで接合された上側外フラップ５ａと５ｂの突き合わせ部分を折り線として切離可能域１０を前壁２側に１８０度に折り返す。最後に、外側に開いた左右の上側内フラップ６を段ボール箱１の底部と垂直な角度より段ボール箱１の内側に若干傾けてそれぞれ起立させることで、折り返した切離可能域１２が前壁２側に開くことを防止するストッパーを構成する。
【００４２】
当該段ボール箱１は、上述の通り、簡便な作業の組合せで梱包形態から陳列ケース形態へ変形させることができ、またこの変形作業に必要なスペースも小さくすることができる。特に、段ボール箱１の後方（後壁３の後側）に作業スペースを要しないため、スペースの限られる店舗内の通路や倉庫等でも容易に変形作業を行うことができる。加えて、変形時に廃棄される部位が発生しないため、変形作業時の廃棄物処理の手間も削減される。
【００４３】
また、当該段ボール箱１は、折り返した切離可能域１２の前壁２側を向いた面に販売促進のための商品説明等を掲示することによって、商品の陳列効果を向上させることができる。
【００４４】
さらに、当該段ボール箱１は、図１の展開図に示すように、上記破断誘導線１０、押込部分１１、上側内フラップ６の傾斜部１３を有する点以外は通常使用される段ボール箱と同様の構造を有する。そのため、当該段ボール箱を形成する段ボールシートの加工が容易であり、製造コストに優れる。
【００４５】
なお、本考案の段ボール箱は上記実施形態に限定されるものではなく、破断誘導線１０は直線状であってもよい。例えば、破断誘導線１０を、前壁２の左右の側縁上に両端を有し、上端縁及び下端縁に平行な水平線部と、この水平線部の両端から左右の側縁上を上端縁に向かって延伸する鉛直線部とから構成された形状としてもよい。
【００４６】
また、上記押込部分１１が、破断誘導線１０から延伸する切込線Ｌ１を複数有していてもよい。例えば、破断誘導線１０の中点から前壁２の下端側に向かって放射状に形成される複数の切込線Ｌ１を有していてもよいし、破断誘導線１０上の中央付近の複数の点から延伸される互いに平行な複数の切込線Ｌ１を有していてもよい。
【産業上の利用可能性】
【００４７】
以上のように、本考案の段ボール箱は、梱包形態から陳列ケース形態へ簡便に変形させることができ、かつ商品の高い陳列効果及び取り出し性能を有する。そのため、商品の梱包兼陳列用段ボール箱として好適に用いることができる。
【符号の説明】
【００４８】
１  段ボール箱
２  前壁
２ａ  上部
３  後壁
４  側壁
５ａ、５ｂ  上側外フラップ
６  上側内フラップ
７  下側外フラップ
８  下側内フラップ
９  糊代部
１０  破断誘導線
１０ａ  湾曲部
１１  押込部分
１２  切離可能域
１３  傾斜部
１４  上蓋部
Ｌ１  切込線
Ｌ２  補助切込線
Ｔ  粘着テープ
【図１】
0003170785.tif 000003
【図２】
0003170785.tif 000004
【図３】
0003170785.tif 000005
【図４】
0003170785.tif 000006
【図５】
0003170785.tif 000007
【図６】
0003170785.tif 000008
【図７】
0003170785.tif 000009